(57)【要約】【課題】プリベリングトルクのバラツキを効果的に抑え、求める安定したゆるみ止め効果が常に正確に得られる信頼度の高いゆるみ止めナットの提供。【解決手段】中心部にねじ孔２を有する６角形のナット本体３と、ナット本体３から上方に一体に連設されかつ中心部にナット本体３のねじ孔２に連続するねじ孔４を有する円筒状ボス５とを備える。円筒状ボス５を、ナット本体３よりも肉薄均一に形成すると共に、円筒状ボス５の先端３ヶ所をプレスによって先端側から２ピッチ分を外周から内方に変形させると同時にそのねじ孔径及びねじ孔ピッチを変形させてピッチエラーを起こさせる圧縮変形部６…６を形成した。【選択図】図１
2018197607.tif 000002
【特許請求の範囲】
【請求項１】
中心部にねじ孔を有する多角形のナット本体と、ナット本体の上面から上方に一体に連設されかつ中心部にナット本体のねじ孔に連続するねじ孔を有する円筒状ボスとを備え、円筒状ボスはその肉厚がナット本体の肉厚よりも薄く形成されていると共に、円筒状ボスの先端に、その全周、又は複数箇所をプレスによってねじ孔の外周から内方に変形させると同時にそのねじ孔径及びねじ孔ピッチを変形させてなる圧縮変形部が形成されており、ナット本体のボルトへの螺合時、円筒状ボスの圧縮変形部によりボルトのねじ山に圧力をかけることによってプリベリングトルクを増大させゆるみ止め機能を持たせるように構成したことを特徴とするゆるみ止めナット。
【請求項２】
円筒状ボスにおける圧縮変形部が複数個形成されており、かつ、これらの圧縮変形部がボスの周方向に等角度づつ間隔をおいてそれぞれ形成されている一方、これら複数個の圧縮変形部のプレスによる成形時、複数個の圧縮変形部のうち、一つの圧縮変形部が常にねじ孔の切り上がり位置、又は常にねじ孔の切り上がり位置に対して一定角度離れた設定位置に位置するように位置設定されて形成されていることを特徴とする請求項１記載のゆるみ止めナット。
【請求項３】
円筒状ボスにおける圧縮変形部が３個形成されており、かつ、これらの圧縮変形部がボスの周方向に１２０度づつ間隔をおいてそれぞれ形成されて円筒状ボスの先端が平面視三角形状を呈している一方、これら３個の圧縮変形部のプレスによる成形時、３個の圧縮変形部のうち、一つの圧縮変形部が常にねじ孔の切り上がり位置に位置するように位置設定されて形成されていることを特徴とする請求項１記載のゆるみ止めナット。
【請求項４】
圧縮変形部は、円筒状ボスの先端をプレスによってねじ孔の２ピッチ分外周から内方に変形させると同時にそのねじ孔径及びねじ孔ピッチを変形させることにより形成されていることを特徴とする請求項１又は請求項２又は請求項３記載のゆるみ止めナット。
【請求項５】
中心部にねじ孔を有する多角形のナット本体における上面のねじ孔周りに、プレスによりねじ孔上端を下方側に変形させてそのねじ孔ピッチを変形させてなる圧縮変形部が複数個形成されており、かつ、これらの圧縮変形部がねじ孔の周方向に等角度づつ間隔をおいてそれぞれ形成されている一方、これら圧縮変形部のプレスによる成形時、これら圧縮変形部のうち、一つの圧縮変形部が常にねじ孔の切り上がり位置、又は常にねじ孔の切り上がり位置に対して一定角度離れた設定位置に位置するように位置設定されて形成されていることを特徴とするゆるみ止めナット。
【請求項６】
圧縮変形部が３個形成されており、かつ、これらの圧縮変形部がねじ孔の周方向に１２０度づつ間隔をおいてそれぞれ形成されている一方、これら３個の圧縮変形部のプレスによる成形時、これら３個の圧縮変形部のうち、一つの圧縮変形部が常にねじ孔の切り上がり位置に位置するように位置設定されて形成されていることを特徴とする請求項６記載のゆるみ止めナット。
【発明の詳細な説明】
【技術分野】
【０００１】  本発明は、ナットのボルトへの締結時、プリベリングトルクを増大させてゆるみ止めを行う機能を備えたゆるみ止めナットに関する。
【背景技術】
【０００２】    従来、この種のゆるみ止めナットとしては、例えば６角ナットの６面のうち、一つ飛ばしの３面の上部３ヶ所に、外周から内方に向ってカシメを施して３個のカシメ部を形成したものが知られている。【０００３】  この３個のカシメ部を有するナットによれば、これのボルトへの締結時、ナットのカシメ部が、ボルトのねじ山にかかる圧力によって生ずるプリベリングトルク（摩擦トルク）を増大させ、ゆるみ止め効果を発生させるようになされている。
【発明の概要】
【発明が解決しようとする課題】
【０００４】  ところで、上記した従来のゆるみ止めナットは、６角ナットの６面のうち、一つ飛ばしの３面の上部３ヶ所に、外周から内方に向ってカシメを施す構成であるため、そのカシメを施す際に、ナットの６角面形状や、カシメ部分の厚さが厚いといったことなどの影響を直接受けることになり、求めるカシメ部を簡単容易にかつ高精度に形成しづらいものであった。そのため、プリベリングトルクにバラツキが生ずることがあった。【０００５】  また、カシメ部を形成するに際し、６角ナットの６面のうち、一つ飛ばしの３面をカシメ基準面とし、その各上部で中央位置に、それぞれカシメを施す構成であることから、６角ナットのねじ孔の切り上がり位置（立ち上がり位置）とカシメ部との位置関係については全く無関係の状態でカシメ部が形成されている。そのため、多数製造されるそれぞれのナットごとにおいて、６角ナットのねじ孔の切り上がり位置に対する３個のカシメ部の配置関係が全くバラバラに形成されることになる。その結果、ナットごとでねじ孔の切り上がり位置と３個のカシメ部との配置関係が異なることによっても、各ナットのボルトに対するプリベリングトルクにバラツキが発生し、より一層求める安定したゆるみ止め効果が得られにくいものであった。【０００６】  そこで本発明は、上記した問題を解決するため、ゆるみ止めナットの形状を工夫してボルトのねじ山に圧力をかける圧縮変形部を簡単容易にかつ高精度に形成できるようにし、また、ねじ孔の切り上がり位置に対する圧縮変形部の配置関係を常に一定の位置に設定してプリベリングトルクのバラツキを効果的に抑え、求める安定したゆるみ止め効果が常に正確に得られる信頼度の高いゆるみ止めナットの提供を課題とする。
【課題を解決するための手段】
【０００７】  本願の請求項１記載の発明は、中心部にねじ孔を有する多角形のナット本体と、ナット本体の上面から上方に一体に連設されかつ中心部にナット本体のねじ孔に連続するねじ孔を有する円筒状ボスとを備え、円筒状ボスはその肉厚がナット本体の肉厚よりも薄く形成されていると共に、円筒状ボスの先端に、その全周、又は複数箇所をプレスによってねじ孔の外周から内方に変形させると同時にそのねじ孔径及びねじ孔ピッチを変形させてなる圧縮変形部が形成されており、ナット本体のボルトへの螺合時、円筒状ボスの圧縮変形部によりボルトのねじ山に圧力をかけることによってプリベリングトルクを増大させゆるみ止め機能を持たせるように構成したことを特徴とする。【０００８】  本願の請求項２記載の発明は、請求項１記載の発明において、円筒状ボスにおける圧縮変形部が複数個形成されており、かつ、これらの圧縮変形部がボスの周方向に等角度づつ間隔をおいてそれぞれ形成されている一方、これら複数個の圧縮変形部のプレスによる成形時、複数個の圧縮変形部のうち、一つの圧縮変形部が常にねじ孔の切り上がり位置、又は常にねじ孔の切り上がり位置に対して一定角度離れた設定位置に位置するように位置設定されて形成されていることを特徴とする。【０００９】  本願の請求項３記載の発明は、請求項１記載の発明において、円筒状ボスにおける圧縮変形部が３個形成されており、かつ、これらの圧縮変形部がボスの周方向に１２０度づつ間隔をおいてそれぞれ形成されて円筒状ボスの先端が平面視三角形状を呈している一方、これら３個の圧縮変形部のプレスによる成形時、３個の圧縮変形部のうち、一つの圧縮変形部が常にねじ孔の切り上がり位置に位置するように位置設定されて形成されていることを特徴とする。【００１０】  本願の請求項４記載の発明は、請求項１又は請求項２又は請求項３記載の発明において、圧縮変形部は、円筒状ボスの先端をプレスによってねじ孔の２ピッチ分外周から内方に変形させると同時にそのねじ孔径及びねじ孔ピッチを変形させることにより形成されていることを特徴とする。【００１１】  本願の請求項５記載の発明は、中心部にねじ孔を有する多角形のナット本体における上面のねじ孔周りに、プレスによりねじ孔上端を下方側に変形させてそのねじ孔ピッチを変形させてなる圧縮変形部が複数個形成されており、かつ、これらの圧縮変形部がねじ孔の周方向に等角度づつ間隔をおいてそれぞれ形成されている一方、これら圧縮変形部のプレスによる成形時、これら圧縮変形部のうち、一つの圧縮変形部が常にねじ孔の切り上がり位置、又は常にねじ孔の切り上がり位置に対して一定角度離れた設定位置に位置するように位置設定されて形成されていることを特徴とする。【００１２】  本願の請求項６記載の発明は、請求項５記載の発明において、圧縮変形部が３個形成されており、かつ、これらの圧縮変形部がねじ孔の周方向に１２０度づつ間隔をおいてそれぞれ形成されている一方、これら３個の圧縮変形部のプレスによる成形時、これら３個の圧縮変形部のうち、一つの圧縮変形部が常にねじ孔の切り上がり位置に位置するように位置設定されて形成されていることを特徴とする。
【発明の効果】
【００１３】  上記した本発明の請求項１記載のゆるみ止めナットの構成によれば、ナット本体にこれの上面から上方に一体に連設されかつ中心部にナット本体のねじ孔に連続するねじ孔を有する薄肉の円筒状ボスを突設し、この円筒状ボスに圧縮変形部をプレスにより形成するようにしたから、従来のゆるみ止めナットのように６角面ナット本体の形状やナット本体の肉厚などに何ら影響されることなく、薄肉で均一の円筒状ボスにプレスによる圧縮変形部を簡単容易にかつ正確に成形することができる。また、円筒状ボスの先端に、その全周、又は複数箇所をプレスによってねじ孔の外周から内方に変形させると同時にそのねじ孔径及びねじ孔ピッチを変形させてピッチエラーを起こさせる圧縮変形部が形成されているから、ナット本体のボルトへの螺合時、円筒状ボスの圧縮変形部によりボルトのねじ山に圧力をかけることによってプリベリングトルクを増大させゆるみ止めの機能を十分に発揮することができる。【００１４】  また、本発明の請求項２記載のゆるみ止めナットの構成によれば、上記した請求項１記載の効果と同様の効果が得られると共に、円筒状ボスの周方向に等角度づつ間隔をおいて形成される複数個の圧縮変形部がプレスにより成形される時、複数個の圧縮変形部のうち、一つの圧縮変形部が常にねじ孔の切り上がり位置、又は常にねじ孔の切り上がり位置に対して一定角度離れた設定位置に位置するように位置設定されて形成されているから、そのねじ孔の切り上がり位置に対して一つの圧縮変形部が常に一致した位置関係、又は切り上がり位置に対して常に一定角度離れた位置関係となるゆるみ止めナットが形成されることになる。これにより多数製造されるそれぞれのゆるみ止めナットにおいて、複数個の圧縮変形部のボルトのねじ山に対するプリベリングトルクのバラツキを高精度に抑えて常に安定よく作用させることができ、常に信頼度の高いゆるみ止めナットが得られる。【００１５】  また、本発明の請求項３記載のゆるみ止めナットの構成によれば、上記した請求項１記載の効果と同様の効果が得られると共に、円筒状ボスにおける圧縮変形部が３個形成されており、かつ、これらの圧縮変形部がボスの周方向に１２０度づつ間隔をおいてそれぞれ形成されて円筒状ボスの先端が平面視三角形状を呈している一方、３個の圧縮変形部がプレスにより成形される時、３個の圧縮変形部のうち、一つの圧縮変形部が常に円筒状ボスにおけるねじ孔の切り上がり位置に一致するように位置設定されて形成されているから、そのねじ孔の切り上がり位置に対して一つの圧縮変形部が常に一致した位置関係となるゆるみ止めナットが形成されることになる。これにより多数製造されるそれぞれのゆるみ止めナットにおいて、３個の圧縮変形部によるボルトのねじ山に対するプリベリングトルクのバラツキを高精度に抑えて常に安定よく作用させることができ、常に信頼度の高いゆるみ止めナットが得られる。【００１６】  また、本願の請求項４記載のゆるみ止めナットによれば、圧縮変形部は、円筒状ボスの先端をプレスによってねじ孔の２ピッチ分外周から内方に変形されると同時にそのねじ孔径及びねじ孔ピッチを変形されることにより形成されているので、ナット本体のボルトへの螺合時、���筒状ボスの圧縮変形部によりボルトのねじ山に求める圧力を容易にかつ正確にかけることが可能となり、求めるプリベリングトルクを容易に設定できてゆるみ止めの機能を十分に発揮することができる。【００１７】  また、本発明の請求項５記載のゆるみ止めナットの構成によれば、中心部にねじ孔を有する多角形のナット本体における上面のねじ孔周りに、プレスによりねじ孔上端を下方側に変形させてピッチエラーを起こさせる圧縮変形部が形成されていることにより、ナット本体のボルトへの螺合時、圧縮変形部によりボルトのねじ山に圧力をかけることによってプリベリングトルクを増大させゆるみ止めの機能を発揮でき、しかも、ねじ孔の周方向に等角度づつ間隔をおいて形成される複数個の圧縮変形部がプレスにより成形される時、複数個の圧縮変形部のうち、一つの圧縮変形部が常にねじ孔の切り上がり位置、又は常にねじ孔の切り上がり位置に対して一定角度離れた設定位置に位置するように位置設定されて形成されているから、そのねじ孔の切り上がり位置に対して一つの圧縮変形部が常に一致した位置関係、又は切り上がり位置に対して常に一定角度離れた位置関係となるゆるみ止めナットが形成されることになる。従って、このように位置設定された条件のもとで多数製造されるそれぞれのゆるみ止めナットにあっては、複数個の圧縮変形部によるトータルのボルトのねじ山に対するプリベリングトルクのバラツキを高精度に抑えて常に安定よく作用させることができ、常に信頼度の高いゆるみ止めナットが得られる。【００１８】  さらに、本発明の請求項６記載のゆるみ止めナットの構成によれば、上記した請求項５記載の効果と同様の効果が得られると共に、ねじ孔の周方向に１２０度づつ間隔をおいて形成される３個の圧縮変形部がプレスにより成形される時、３個の圧縮変形部のうち、一つの圧縮変形部が常に円筒状ボスにおけるねじ孔の切り上がり位置に一致するように位置設定されて形成されているから、そのねじ孔の切り上がり位置に対して一つの圧縮変形部が常に一致した位置関係となるゆるみ止めナットが形成されることになる。このように位置設定された条件のもとで多数製造されるそれぞれのゆるみ止めナットにあっては、３個の圧縮変形部によるトータルのボルトのねじ山に対するプリベリングトルクのバラツキを高精度に抑えて常に安定よく作用させることができ、常に信頼度の高いゆるみ止めナットが得られる。
【図面の簡単な説明】
【００１９】
【図１】本発明に係るゆるみ止めナットの平面図である。
【図２】図１のＡ−Ａ矢視方向のゆるみ止めナットの一部切欠側面図である。
【図３】図１のＢ−Ｂ矢視方向のゆるみ止めナットの一部切欠断面図である。
【図４】同ゆるみ止めナットの底面図である。
【図５】本発明に係る別の実施例のゆるみ止めナットの平面図である。
【図６】図５のＣ−Ｃ矢視方向のゆるみ止めナットの一部切欠側面図である。
【図７】同ゆるみ止めナットの底面図である。
【発明を実施するための形態】
【００２０】  以下本発明の実施の形態を図に基づいて説明する。
【００２１】  図１〜図４は、本発明に係るゆるみ止めナットの実施例を示し、このナット１は、中心部にねじ孔２を有する６角形のナット本体３と、ナット本体３の上面から上方に一体に連設されかつ中心部にナット本体３のねじ孔２に連続するねじ孔４を有する円筒状ボス５とを備えている。円筒状ボス５はその肉厚がナット本体５の肉厚よりも薄く形成されていると共に、円筒状ボス５の先端の３箇所をプレスによってねじ孔４の２ピッチ分外周から内方に、つまり円筒状ボス５の先端を横から変形させると同時にそのねじ孔径及びねじ孔ピッチを変形させてピッチエラーを起こさせる３個の圧縮変形部６…６が形成されている。
【００２２】  圧縮変形部６…６は円筒状ボス５の周方向に１２０度づつ間隔をおいてそれぞれ形成されている一方、これらの圧縮変形部６…６のプレスによる成形時には、３個の圧縮変形部のうち、一つの圧縮変形部６が常にねじ孔４の切り上がり位置（立ち上がり位置）４ａに一致するように位置設定されたうえで平面視三角おにぎり形状に成形されている。これにより、ねじ孔４の切り上がり位置４ａに対して一つの圧縮変形部６が常に一致した位置関係のナット１が形成される。その結果、製造されたそれぞれのナット１において、ボルト（図示せず）に対するプリベリングトルクをよりバラツキなく常に安定よく作用させる構造となっている。
【００２３】    次に、以上のように構成した本発明に係るゆるみ止めナットの作用について説明する。
【００２４】  ナット本体３にこれの上面から上方に一体に連設されかつ中心部にナット本体３のねじ孔２に連続するねじ孔４を有する薄肉の円筒状ボス５を突設し、この円筒状ボス５に３個の圧縮変形部６…６をプレスにより形成するようにしたから、従来のゆるみ止めナットのように６角面ナット本体の形状やナット本体の肉厚などに何ら影響されることなく、薄肉で均一の円筒状ボス５にプレスによる圧縮変形部６…６を簡単容易にかつ正確に成形することができる。また、圧縮変形部６…６はプレスによってねじ孔４の先端から２ピッチ分を外周から内方に変形されると同時にそのねじ孔径及びねじ孔ピッチが変更されてピッチエラーを起こさせるように形成されているから、ナット本体３のボルトへの螺合時、円筒状ボス５の圧縮変形部６…６によりボルトのねじ山に圧力をかけることによってプリベリングトルクを増大させゆるみ止めの機能を十分に発揮することができる。
【００２５】  しかも、円筒状ボス５の周方向に１２０度づつ間隔をおいて形成される３個の圧縮変形部６…６は、そのプレスにより成形される時、３個の圧縮変形部のうち、一つの圧縮変形部６が常に円筒状ボス５におけるねじ孔４の切り上がり位置４ａに一致するように位置設定されて平面視三角おにぎり形状に成形されているから、ねじ孔４の切り上がり位置４ａに対して一つの圧縮変形部６が常に一致した位置関係となるゆるみ止めナット１が形成されることになる。これにより多数製造されるそれぞれのゆるみ止めナット１において、３個の圧縮変形部６…６のトータルによるボルトのねじ山に対するプリベリングトルクのバラツキを高精度に抑えて常に安定よく作用させることができ、常に信頼度の高いゆるみ止めナットが得られる。
【００２６】  上記した実施例では、円筒状ボス５に、３個の圧縮変形部６…６を等角度おいて形成したものについて説明したが、この他例えば一つの圧縮変形部６を円筒状ボス５の先端側全周にわたるように形成してもよい。このように形成した場合にも、薄肉で均一の円筒状ボス５にプレスによる圧縮変形部６を簡単容易にかつ正確に成形することができるし、また、圧縮変形部６はプレスによってねじ孔４の先端から２ピッチ分を外周から内方に変形されると同時にそのねじ孔径及びねじ孔ピッチが変更されてピッチエラーを起こさせるように形成されているので、ナット本体３のボルトへの螺合時、円筒状ボス５の圧縮変形部６によりボルトのねじ山に圧力をかけることによってプリベリングトルクを増大させゆるみ止めの機能を十分に発揮することができる。
【００２７】  また、上記した圧縮変形部６は、１個や３個に限らず２個や４個など複数個設けるようにしてもよい。なお、複数個設ける場合、圧縮変形部６…６を円筒状ボス５の周方向に等角度をおいてそれぞれ形成する一方、これらの圧縮変形部６…６をプレスにより成形する時、複数個の圧縮変形部６…６のうち、一つの圧縮変形部６が常にねじ孔２の切り上がり位置４ａに一致するように位置設定するか、もしくは一つの圧縮変形部６が常にねじ孔２の切り上がり位置４ａに対して常に一定角度離れた定位置となるように位置設定して形成する。このように構成することにより、先の実施例の場合と同様に多数製造されるそれぞれのゆるみ止めナット１において、複数個の圧縮変形部６…６のボルトのねじ山に対するプリベリングトルクのバラツキを高精度に抑えて常に安定よく作用させることができ、常に信頼度の高いゆるみ止めナットが得られる。
【００２８】  さらに、ナット本体３は６角形に限られるものではなく、４角形や８角形、１２角形などの多角形ナット本体であってもよいし、また、多角形ナット本体の下面側に大径のフランジ（鍔部）を一体に連設したものであってもよい。なお、上記した実施例では圧縮変形部６…６として、プレスによりねじ孔４の先端から２ピッチ分を外周から内方に変形させることにより形成したけれども、必ずしも２ピッチ分でなくてもよい。
【００２９】  図５〜図７は、本発明に係るゆるみ止めナットの別の実施例を示し、このナット１１は、中心部にねじ孔１２を有する６角形のナット本体１３における上面のねじ孔１２周りに、プレスによりねじ孔上端を上から下方に変形させてそのねじ孔ピッチを変形させてなる圧縮変形部１６…１６が３個形成されており、かつ、これらの圧縮変形部１６…１６がねじ孔１２の周方向に１２０度づつ間隔をおいてそれぞれ形成されている一方、これら３個の圧縮変形部１６…１６のプレスによる成形時、これら３個の圧縮変形部１６…１６のうち、一つの圧縮変形部１６が常にねじ孔１２の切り上がり位置１２ａに位置するように位置設定されて形成されている。
【００３０】  従って、この別の実施例のゆるみ止めナット１１においても、前述の実施例のゆるみ止めナット１と同様にねじ孔１２の切り上がり位置１２ａに対して一つの圧縮変形部６が常に一致した位置関係となるゆるみ止めナット１が形成されることになる。その結果、このように位置設定された条件のもとで多数製造されるそれぞれのゆるみ止めナット１１にあっては、３個の圧縮変形部１６…１６のトータルによるボルト（図示せず）のねじ山に対するプリベリングトルクのバラツキを高精度に抑えて常に安定よく作用させることができ、常に信頼度の高いゆるみ止めナットが得られる。
【００３１】  この別の実施例では、ナット本体１３における上面のねじ孔１２周りに、３個の圧縮変形部１６…１６を等角度おいて形成したものについて説明したが、圧縮変形部１６は、３個に限らず例えば２個や４個など複数個設けるようにしてもよい。また、複数個設ける場合、圧縮変形部１６…１６をねじ孔１２の周方向に等角度をおいてそれぞれ形成する一方、これらの圧縮変形部１６…１６をプレスにより成形する時、複数個の圧縮変形部１６…１６のうち、一つの圧縮変形部１６が常にねじ孔１２の切り上がり位置１２ａに一致するように位置設定するか、もしくは一つの圧縮変形部１６が常にねじ孔１２の切り上がり位置１２ａに対して常に一定角度離れた定位置となるように位置設定して形成する。このように位置設定された構成とすることにより、先の実施例の場合と同様に多数製造されるそれぞれのゆるみ止めナット１１において、複数個の圧縮変形部１６…１６のトータルによるボルトのねじ山に対するプリベリングトルクのバラツキを高精度に抑えて常に安定よく作用させることができ、常に信頼度の高いゆるみ止めナットが得られる。
【００３２】  また、ナット本体３は６角形に限られるものではなく、４角形や８角形、１２角形などの多角形ナット本体であってもよいし、また、多角形ナット本体の下面側に例えば大径のフランジ（鍔部）を一体に連設したフランジ付きのものや、これらのナット本体の下面側に複数の溶接用の突起を一体に設けた溶接突起付きのものであってもよい。なお、溶接突起付きのナット本体の突起としては、例えばナット本体の下面から３つ又は４つの突起が下方又は斜め放射状方向に突出しかつそれぞれが断面視三角形状又は四角形状を呈するものであったり、或いはナット本体の下面から断面視円形を呈する複数個の突起が下方に一体に突出するようなものであってもよい。
【００３３】  また、図５において１７はナット本体１３の上面に設けたゆるみ止めナット１１の種類やメーカーを示すための刻印記号である。この記号により例えば一つの圧縮変形部１６が常にねじ孔１２の切り上がり位置１２ａに一致するように位置設定されたゆるみ止めナット１１であるか、或いは一つの圧縮変形部１６が常にねじ孔１２の切り上がり位置１２ａに対して常に一定角度離れた定位置となるように位置設定されたゆるみ止めナットであるかなどの識別や、他のナットとの区別を行い混同や誤認使用などを防止するために設けたものである。
【符号の説明】
【００３４】  １              ゆるみ止めナット
２              ねじ孔
３              ナット本体
４              ねじ孔
４ａ            切り上がり位置
５              円筒状ボス
６              圧縮変形部
１１            ゆるみ止めナット
１２            ねじ孔
１２ａ          切り上がり位置
１３            ナット本体
１６            圧縮変形部
【図１】
2018197607.tif 000003
【図２】
2018197607.tif 000004
【図３】
2018197607.tif 000005
【図４】
2018197607.tif 000006
【図５】
2018197607.tif 000007
【図６】
2018197607.tif 000008
【図７】
2018197607.tif 000009